(57)【特許請求の範囲】
【請求項１】
異なる面を有する両面丸編地であって、編地の一方の面（Ａ面）がニットされていない穴を有し柄のあるメッシュ組織部と前記メッシュ組織部と同じ大きさの非メッシュ組織部とからなり、前記メッシュ組織部と前記非メッシュ組織部がウエル方向及びコース方向に交互に繰返し配置され、編地の他方の面（Ｂ面）が非メッシュ組織である立体感のある両面丸編地。
【請求項２】
Ａ面の前記メッシュ組織部と前記非メッシュ組織部が、それぞれ一辺の長さが２〜１０ｍｍの正方形または二辺の各長さが２〜１０ｍｍの長方形をなしている請求項１に記載の立体感のある両面丸編地。
【請求項３】
Ａ面の前記メッシュ組織部が、９〜２５ヶのニットされていない穴を有するメッシュ組織部である請求項１または２に記載の立体感のある両面丸編地。
【請求項４】
編地を構成する糸が、ポリエステルマルチフィラメント糸、セルロースアセテートマルチフィラメント糸、またはこれらの複合糸である請求項１に記載の立体感のある両面丸編地。
【発明の詳細な説明】
【技術分野】
【０００１】
本発明は、立体感のある両面丸編地に関する。
【背景技術】
【０００２】
従来より、編み柄による盛り重ねた模様によった立体感のある編地は知られているものの、表面が平らでありながら立体感のある編地はいまだ知られてはいない。
【０００３】
また、従来より、両面丸編地は知られており、両面丸編地にはインターロックやポンチローマ等の編組織があり、いずれもダブルニット編機を用いた両面編組織である。これらの組織は任意の繊維の糸を用い、糸の繊度に合ったゲージ（針本数／吋）で編成するが、得られた編地は、その外観をみても平面な編地であって、立体感があるように見えるものでない。
【先行技術文献】
【特許文献】
【０００４】
【特許文献１】特開昭６１−２８２４５０号公報
【発明の概要】
【発明が解決しようとする課題】
【０００５】
本発明は、従来の両面丸編地の編成と同様にダブルニット編機を用いて編成する際、一方の面と他方の面の編組織を特定の組み合わせとしたときに、見方によって立体感があるように見える編地があることを知見し本発明に至ったもので、本発明の目的は、立体感のある両面丸編地を提供することにある。
【課題を解決するための手段】
【０００６】
本発明の要旨は、異なる面を有する両面丸編地であって、編地の一方の面（以下、Ａ面という）が同じ大きさのメッシュ組織部と非メッシュ組織部とからなり、当該メッシュ組織部と非メッシュ組織部がウエル方向及びコース方向に交互に繰返し配置され、編地の他方の面（以下、Ｂ面という）が非メッシュ組織である立体感のある両面丸編地、にあり、好ましくはメッシュ組織部と非メッシュ組織部は、それぞれ一辺の長さが２〜１０ｍｍの正方形またはニ辺の各長さが２〜１０ｍｍの範囲内での長方形をなし、メッシュ組織部は９〜２５ヶのニットされていない穴を有する立体感のある両面丸編地にある。
【発明の効果】
【０００７】
本発明の両面丸編地は、編地を一方の面から編地が透けるように見たときには、あたかもＡ面とＢ面との間の厚さが大きくなったように立体感があるものとして見える。また、本発明の両面丸編地は、編地をＡ面から見たときであって、編地が透けないように見たときには、非メッシュ組織部が強調されて浮き上がったように、籠目状の模様が見える。
【図面の簡単な説明】
【０００８】
【図１】本発明で用いた編組織の一例の組織図Ａである。
【図２】本発明で用いた編組織の他の例の組織図Ｂである。
【図３】本発明で用いた組織図Ａの柄図である。
【図４】本発明で用いた組織図Ｂの柄図である。
【図５】比較例で用いた組織図Ｃである。
【図６】比較例で用いた組織図Ｄである。
【発明を実施するための形態】
【０００９】
以下、本発明の実施の形態について、詳細に説明する。
本発明の両面丸編地の構成に用いられる糸は、好ましくはポリエステルマルチフィラメント糸、セルロースアセテートマルチフィラメント糸等のマルチフィラメント糸が挙げられ、またこれらのマルチフィラメント糸は混繊等により複合された複合糸であってもよい。マルチフィラメント糸の繊度は、１１〜５５０ｄｔｅｘであって特に制約はなく、編成の際に使用する編地ゲージに合わせたものを用いる。また、用いるマルチフィラメント糸は、両面丸編地のＡ面のメッシュ組織部と非メッシュ組織部と、Ｂ面の非メッシュ組織部とで、それらの構成糸を構成する単糸繊度、糸繊度が異なっていてもよい。両面丸編地の編成には、好ましくは編機ゲージ８〜４０のダブルニット編機を使用する。
【００１０】
Ａ面は、同じ大きさのメッシュ組織部と非メッシュ組織部がウエル方向及びコース方向に交互に繰返し配置されるようにし、好ましくはメッシュ組織部と非メッシュ組織部とはそれらの表面形状を、それぞれ一辺の長さが２〜１０ｍｍ、より好ましくは３〜８ｍｍの正方形、または二辺の各長さが２〜１０ｍｍ、より好ましくは３〜８ｍｍの範囲内での長方形とすることが好ましく、またメッシュ組織部は９〜２５ヶのニットされていない穴を有するメッシュ組織の編地にすることが好ましい。編成後の両面丸編地は、任意の色、濃さに染色される。 
【００１１】
ダブルニット編機を使用する編成では、ダイヤルにて一方の面を非メッシュ組織に編成し、シリンダーにて他方の面を非メッシュ組織に編成する際に、シリンダーの動作を一定間隔で停止することでニット（編み）のない穴部をウエル方向及びコース方向に形成し、ダイヤルにてタック部を作ることで穴部の配置による柄のあるメッシュ組織とし、同じ大きさのメッシュ組織部と非メッシュ組織部とからなるＡ面と非メッシュ組織部からなるＢ面との両面丸編地が形成される。
【００１２】
本発明の両面丸編地において、外観は平面でありながら立体感のあるように見える理由については定かではないが、編地をＡ面から編地が透けるように見たときには、あたかもＡ面とＢ面との間の厚さが大きくなったように立体感があるものとして見える。また、編地をＢ面から編地が透けるように見たときにも同様に、あたかもＡ面とＢ面との間の厚さが大きくなったように立体感があるものとして見える。さらに、編地をＡ面から見たときであって、編地が透けないように見たときには、非メッシュ組織部が強調されて浮き上がったように、籠目状の模様が見える。
【００１３】
本発明の両面丸編地は、その使用に当たっては、Ａ面またはＢ面のどちらを表面としてもよい。また、本発明の両面丸編地を立体感があるように見やすくするために、編地が透けて反対側の面が見えるようにすることが好ましい。反対側の面を見やすくするには、編密度を粗くすることが好ましく、マルチフィラメント糸の単糸繊度を大きくすることが好ましい。
【実施例】
【００１４】
以下、本発明を実施例により具体的に説明する。
【００１５】
（実施例１）
２８ゲージのダブルニット編機（福原精機製作所製、タイプＶ７４Ｅ４０）にて、Ａ面の構成にセルロースアセテートフィラメント糸（ブライト８４ｄｔｅｘ／２０フィラメント）とポリエステルフィラメント糸（セミダル３３ｄｔｅｘ／１２フィラメント）とのエアーによる混繊糸を用い、Ｂ面の構成にポリエステルフィラメント糸（ブライト５６ｄｔｅｘ／３６フィラメント）を用い、図１に示す組織で図３に示す柄に、シリンダーによって非メッシュ組織のみのＢ面を編成し、ダイヤルによってメッシュ組織と非メッシュ組織のあるＡ面を編成して両面丸編地を作製した。作製した両面丸編地は常法により分散染料で淡色に染色して仕上げた。
【００１６】
得られた両面丸編地は、Ａ面にはウエル方向の１辺が５ｍｍでコース方向の一辺が７ｍｍの長方形のメッシュ組織と非メッシュ組織がウエル方向及びコース方向に交互に繰返し配置され、Ａ面での一つのメッシュ組織部には４０ヶのタック部の穴を有しており、編地を一方の面から反対側の面が見えるように見たときには、あたかもＡ面とＢ面との間の厚さが大きくなったように立体感があるように見え、また、編地をＡ面から見たときで、編地が透けないように見たときには、非メッシュ組織部が強調されて浮き上がったように、籠目状の模様が見えるものであった。
【００１７】
（実施例２）
２８ゲージのダブルニット編機（福原精機製作所製、タイプＬＩＬ−６Ａ）にて、Ａ面の構成に実施例１で用いたと同じセルロースアセテートフィラメント糸とポリエステルフィラメント糸の混繊糸を用い、Ｂ面の構成に実施例１で用いたと同じポリエステルフィラメント糸を用い、図２に示す組織で図４に示す柄に、シリンダーによって非メッシュ組織のみのＢ面を編成し、ダイヤルによってメッシュ組織と非メッシュ組織のあるＡ面を編成して両面丸編地を作製した。作製した両面丸編地は常法により分散染料で淡色に染色して仕上げた。
【００１８】
得られた両面丸編地は、Ａ面にはウエル方向の１辺が５ｍｍでコース方向の一辺が７ｍｍの長方形のメッシュ組織と非メッシュ組織がウエル方向及びコース方向に交互に繰返し配置され、一つのメッシュ組織部には９ヶのタック部の穴を有しており、編地を一方の面から反対側の面が見えるように見たときには、あたかもＡ面とＢ面との間の厚さが大きくなったように立体感があるように見え、また、編地をＡ面から見たときで、編地が透けないように見たときには、非メッシュ組織部が強調されて浮き上がったように、籠目状の模様が見えるものであった。
【００１９】
（実施例３）
２８ゲージのダブルニット編機（福原精機製作所製、タイプＬＰＪ−Ｈ）にて、Ａ面の構成にポリエステルフィラメント糸（ブライト１１０ｄｔｅｘ／３６フィラメント）を用い、Ｂ面の構成にＡ面と同じポリエステルフィラメント糸を用い、図２に示す組織で実施例２と同じ柄に、シリンダーによって非メッシュ組織のみのＢ面を編成し、ダイヤルによってメッシュ組織と非メッシュ組織のあるＡ面を編成して両面丸編地を作製した。作製した両面丸編地は常法により分散染料で淡色に染色して仕上げた。
【００２０】
得られた両面丸編地は、Ａ面にはウエル方向の１辺が３ｍｍでコース方向の一辺が７ｍｍの長方形のメッシュ組織と非メッシュ組織がウエル方向及びコース方向に交互に繰返し配置され、一つのメッシュ組織部には９ヶのタック部の穴を有しており、編地を一方の面から反対側の面が見えるように見たときには、あたかもＡ面とＢ面との間の厚さが大きくなったように立体感があるように見え、また、編地をＡ面から見たときで、編地が透けないように見たときには、非メッシュ組織部が強調されて浮き上がったように、籠目状の模様が見えるものであった。
【００２１】
（比較例１）
２８ゲージのダブルニット編機（福原精機製作所製、タイプＬＩＬ−６Ａ）にて、Ａ面の構成に実施例１で用いたと同じセルロースアセテートフィラメント糸とポリエステルフィラメント糸の混繊糸を用い、Ｂ面の構成に実施例１で用いたと同じポリエステルフィラメント糸を用い、図５に示すインターロック組織に編成し両面丸編地を作製した。作製した両面丸編地は常法により分散染料で淡色に染色して仕上げた。得られた両面丸編地は、編地を透かして見ても、立体感があるようには見えないものであった。
【００２２】
（比較例２）
２８ゲージのダブルニット編機（福原精機製作所製、タイプＬＩＬ−６Ａ）にて、Ａ面の構成に実施例１で用いたと同じセルロースアセテートフィラメント糸とポリエステルフィラメント糸の混繊糸を用い、Ｂ面の構成に実施例１で用いたと同じポリエステルフィラメント糸を用い、図６に示すポンチローマ組織に編成し両面丸編地を作製した。作製した両面丸編地は常法により分散染料で淡色に染色して仕上げた。得られた両面丸編地は、編地を透かして見ても、立体感があるようには見えないものであった。
【産業上の利用可能性】
【００２３】
本発明の両面丸編地は、見る方向によって、立体感がある、また立体的な模様が見えることから、視覚的に変化に富んだものであり、ストッキング、タイツ、パンツ、スポーツ用衣料、肌着等各種衣料に有用なるものである。
【符号の説明】
【００２４】
１  非メッシュ組織部
２  メッシュ組織部
３  ニットされている部分
４  ニットされていない穴
【図１】
0005999618.tif 000002
【図２】
0005999618.tif 000003
【図３】
0005999618.tif 000004
【図４】
0005999618.tif 000005
【図５】
0005999618.tif 000006
【図６】
0005999618.tif 000007